(57)【要約】【目的】携帯通信機器の利便性を損なうことなく少ないスペースで設置でき、且つ、出力形態として携帯通信機器の快適性を最大限に表現することができるインクジェット記録装置を提供すること。【構成】充電器一体型のインクジェット記録装置は、電力供給源として電源端子プラグを設けた充電器と、前記電源端子プラグからの電力供給によって駆動するプリンタとを備えており、携帯可能な通信機器用のバッテリーが前記充電器によって充電可能であるとともに、前記プリンタが通信機器の持つデジタル情報を受信し、記録用紙に記録できることを特徴とする。ここで、通信機器用バッテリーとバッテリー用充電器とを電気的に接続する接続端子は前記通信機器用のプリンタ接続端子と一体化されている。【選択図】　　　図１
2004130664.tif 000002
【特許請求の範囲】
【請求項１】
電力供給源として電源端子プラグを設けた充電器と、前記電源端子プラグからの電力供給によって駆動するプリンタとを備えており、携帯可能な通信機器用のバッテリーが前記充電器によって充電可能であるとともに、前記プリンタが通信機器の持つデジタル情報を受信し、記録用紙に記録できることを特徴とする充電器一体型のインクジェット記録装置。
【請求項２】
通信機器用バッテリーとバッテリー用充電器とを電気的に接続する接続端子が、前記通信機器用のプリンタ接続端子と一体化されていることを特徴とする請求項１記載のインクジェット記録装置。
【請求項３】
携帯用通信機器と携帯用通信機器用プリンタとの情報通信を赤外線等のワイヤレス通信によって行う手段を備えることを特徴とする請求項１記載のインクジェット記録装置。
【請求項４】
記録用紙としてロール紙を用いることを特徴とする請求項１記載のインクジェット記録装置。
【請求項５】
搬送機構によって排出されたロール紙を切断、分離するための切断機を有することを特徴とする請求項１又は４記載のインクジェット記録装置。
【請求項６】
インク吐出部が記録用紙の搬送方向に直交する方向の記録領域全体に亘って配列するフルマルチ型の記録ヘッドを備えることを特徴とする請求項１記載のインクジェット記録装置。
【発明の詳細な説明】
【０００１】
【発明の属する技術分野】
本発明は、デジタル情報に基づいて用紙に記録するインクジェット記録装置に係り、特に携帯電話機等の携帯用通信機器からの情報を記録する上で操作性の向上や省スペース化を実現するとともに、記録された用紙の保管形態においても、利便性と快適性を高めることができるインクジェット記録装置に関するものである。
【０００２】
【従来の技術】
モバイル性を有する通信機器は年々小型化、多機能化が進行している。特に、携帯電話機（或はＰＨＳ）はその機能を多様化することによって過去における電話機のイメージを一新し、情報端末として大幅に用途を拡大しつつある。即ち、携帯電話機は単なる音声通信に止まらず文字情報や画像情報の通信を取り込むことによって、これまでコンピュータを介して行われていた通信機能の多くをカバーできるようになってきた。
【０００３】
携帯電話機が文字情報や画像情報を扱うようになると、必然的にそれらの情報を出力する手段が必要になってくる。インクジェット方式の記録装置は、比較的安価且つ小型でカラー印刷が可能なことから、携帯電話機用の出力手段としても適したものであると考えられる。
【０００４】
【発明が解決しようとする課題】
しかしながら、従来、パソコン用の出力手段として普及しているインクジェットプリンタは通常はＡ４程度の用紙サイズに対応したものであり、必ずしも携帯電話機に必要とされる仕様とは一致していない。なぜならば、携帯電話機がその利便性を保つためにはそのサイズは手のひら程度か或はそれ以下であって、必然的に付帯するディスプレーのサイズはパソコン用のディスプレーサイズに比べて可成り小さくならざるを得ないからである。更に、パソコンを必要としない携帯電話機のユーザーにとっては、従来型のインクジェットプリンタはサイズが大き過ぎることや、電力供給のための専用の電源プラグを必要とする等、携帯電話機の持つ利便性や軽快性を損なうものであった。
【０００５】
本発明は上記問題に鑑みてなされたもので、その目的とする処は、携帯通信機器の利便性を損なうことなく少ないスペースで設置でき、且つ、出力形態として携帯通信機器の快適性を最大限に表現することができるインクジェット記録装置を提供することにある。
【０００６】
【課題を解決するための手段】
上記課題を達成するため、本発明は、携帯電話機用の充電器とインクジェット記録装置を一体化し、両者が同一の電源プラグからの電源供給によって動作するようにしたことを第１の特徴とする。携帯電話機は利便性や軽快感が重要な要素であり、従って、付帯する機器はできるだけその特徴を損なわないことが望ましい。そこで、本発明では、携帯電話機には必ず付帯する充電器にインクジェット記録装置を一体化することにより、これら機器の設置スペースと煩雑さを最小限に留めることを実現した。
【０００７】
本発明の第２の特徴は、携帯電話機のバッテリーを充電するための接続端子とプリンタ用の接続端子が一体化されているか、或は携帯電話機とプリンタ間の通信が無線で行われることである。この特徴により、携帯電話機とプリンタとを意識的に接続をする必要がなくなり、より快適なデータ出力が可能になる。
【０００８】
本発明の第３の特徴は、携帯電話機用インクジェット式記録装置がロール紙を記録用紙として採用していることである。上述したように携帯電話機用には比較的サイズの小さい記録用紙が適しているので、ロール紙を用いることにより記録用紙自体の取り扱いが簡便になる上に、用紙の搬送機構が単純化されるのでプリンタのより小型化が達成される。更に、本発明のインクジェットプリンタは、用紙搬送機構によって排出されたロール紙を切断するための切断機を備えていても良く、或は上記ロール紙にミシン目を付けることにより、ミシン目から容易に分離できるようになっていても良い。更に、上記ロール紙は裏面に粘着材とその粘着材の保護シートを備えていても良く、このとき記録された用紙から該保護シートを剥がして簡単に他の場所に貼り付けることができる。
【０００９】
本発明の第４の特徴は、携帯機器用インクジェット記録装置が用紙搬送方向に直交する方向の記録領域全体に亘って配列するフルマルチ型インク吐出部を備えていることである。この特徴により記録ヘッドを駆動する必要がなくなり、一層の小型化が実現できる上に静音性と高速性も達成される。
【００１０】
【発明の実施の形態】
以下に本発明の実施の形態を添付図面に基づいて説明する。
【００１１】
＜実施の形態１＞
以下、図面に基づいて本発明の実施の形態１を説明するが、本発明は図面に表された具体的な部品形態等に限定されるものではない。
【００１２】
図１において、１は本発明に係る携帯電話機用の充電器一体型インクジェット記録装置、２は携帯電話機器を模式的に表している。３は記録装置１の充電器部分、４は携帯電話機２との接続部分であり、電源プラグ５をＡＣ１００Ｖのコンセントに接続することにより通常の充電器として本機を利用することができる。用紙収納部６にセットされたロール紙７は、用紙搬送機構８によって用紙排出口９の方向に搬送されると同時に、携帯電話機２のデジタル情報に基づく記録がなされる。１０はこの際の記録エンジンであるフルマルチ型のインクジェットヘッドであり、１１はインク供給源であるカラーのインクタンクである。
【００１３】
本実施の形態が採用しているフルマルチ型インクジェットは記録時にヘッド自体を移動させる必要がないため、小型化と同時に高速性と静粛性を達成する上でも有効である。１２は排出されたロール紙７を切断するための切断機であり、この切断機１２はバネを備えた刃から構成され、本実施の形態では手動でこの刃を下ろすことによりロール紙を切断する。携帯電話機２との接続部分４へ携帯電話機２を差し込むことにより充電器一体型インクジェット記録装置１にデジタル情報を送り、ロール紙に記録することができる。
【００１４】
図２において、１３は本発明に係るインクジェット記録装置用のロール紙の一例を示したものであり、１４は記録紙本体部分、１５は記録紙の裏面に塗られた粘着材、１６は粘着材の保護シートを表している。前述のように、携帯電話機用の記録用紙は比較的サイズが小さいことから、記録された用紙を保管或は表示する上で通常のファイリング手段は不適当な場合がある。そのため、本発明では、保護シート１６を剥がして裏面の粘着材１５を露出させることにより記録紙１４を容易に他の場所に貼り付けられるようになっている。携帯電話機は情報の通信という機能と同時にその娯楽性が重要な要素である。携帯電話機の持つ娯楽性を更に高める上で、写真のアルバムのようにも扱える記録シートはで有効であると考えられる。
【００１５】
＜実施の形態２＞
以下、図３及び図４に基づいて本発明の実施の形態２について説明するが、本発明は図面に表された具体的な部品形態等に限定されるものではない。
【００１６】
図３において、１７は本発明による携帯電話機用の充電器一体型インクジェット記録装置を表し、１８は携帯電話機器を模式的に表している。１９は記録装置１７の充電器部分、２０は携帯電話機１８との接続部分を表しており、電源プラグ２１をＡＣ１００Ｖのコンセントに接続することにより通常の充電器として本機を利用することができる。用紙収納部２２にセットされたロール紙２３は、用紙搬送機構２４によって用紙排出口２５の方向に搬送されると同時に、携帯電話機１８のデジタル情報に基づく記録がなされる。２６はこの際の記録エンジンであるフルマルチ型のインクジェットヘッドを表し、又、２７はインク供給源であるカラーのインクタンクを表している。
【００１７】
本実施の形態で採用しているフルマルチ型インクジェットは記録時にヘッド自体を移動させる必要がないため、小型化と同時に高速性と静粛性を達成する上でも有効である。２８は排出されたロール紙２３を切断するための切断機を表している。切断機２８はバネを備えた刃から構成され、本実施の形態では手動でこの刃を下ろすことによりロール紙を切断する。携帯電話機１８から充電器一体型インクジェット記録装置１７にデジタル情報を送る方法としては、以下２つの手段を用いることができる。
【００１８】
第１の方法は、携帯電話機１８との接続部分２０へ携帯電話機１８を差し込むことにより充電器一体型インクジェット記録装置１７にデジタル情報を送る方法である。
【００１９】
第２の方法は、携帯電話機に備えられた赤外線発信部２９からデジタル情報を発信し、３０の赤外線センサー部で受信する方法である。その無線通信による情報に基づいてロール紙に記録することもできるようになっている。
【００２０】
図４において、３１は本発明に係るインクジェット記録装置用のロール紙の一例を示したものであり、３２は記録紙本体部分、３３は記録紙の裏面に塗られた粘着材、３４は粘着材の保護シートを表している。
【００２１】
前述のように、携帯電話機用の記録用紙は比較的サイズが小さいことから、記録された用紙を保管或は表示する上で通常のファイリング手段は不適当な場合がある。そのため、本発明では、保護シート３４を剥がして裏面の粘着材３３を露出させることにより記録紙３２を容易に他の場所に貼り付けられるようになっている。携帯電話機は情報の通信という機能と同時に、その娯楽性が重要な要素である。携帯電話機の持つ娯楽性を更に高める上で、写真のアルバムのようにも扱える本発明の記録シートは有効であると考えられる。
【００２２】
＜実施の形態３＞
以下、図５及び図６に基づいて本発明の実施の形態３について説明するが、本発明は図面に表された具体的な部品形態等に限定されるものではない。
【００２３】
図５において、３５は本発明による携帯電話機用の充電器一体型インクジェット記録装置を表し、３６は携帯電話機器を模式的に表している。３７は記録装置３５の充電器部分、３８は携帯電話機３６との接続部分を表しており、電源プラグ３９をＤＣ１２Ｖの車載のライター用プラグに接続することにより通常の充電器として本機を利用することができる。
【００２４】
用紙収納部４０にセットされたロール紙４１は用紙搬送機構４２によって、用紙排出口４３の方向に搬送されると同時に、携帯電話機３６のデジタル情報に基づく記録がなされる。４４はこの際の記録エンジンであるフルマルチ型のインクジェットヘッドを表し、又、４５はインク供給源であるカラーのインクタンクを表している。
【００２５】
本実施の形態で採用しているフルマルチ型インクジェットは記録時にヘッド自体を移動させる必要がないため、小型化と同時に高速性と静粛性を達成する上でも有効である。４６は排出されたロール紙４１を切断するための切断機を表している。切断機４６はバネを備えた刃から構成され、本実施の形態では手動でこの刃を下ろすことによりロール紙を切断する。携帯電話機３６から充電器一体型インクジェット記録装置３５にデジタル情報を送る方法としては、以下２つの手段を用いることができる。
【００２６】
第１の方法は、携帯電話機３６との接続部分３８へ携帯電話機３６を差し込むことにより充電器一体型インクジェット記録装置３５にデジタル情報を送る方法である。
【００２７】
第２の方法は、携帯電話機に備えられた赤外線発信部４７からデジタル情報を発信し、４８の赤外線センサー部で受信する方法である。その無線通信による情報に基づいてロール紙に記録することもできるようになっている。
【００２８】
図６において、４９は本発明によるインクジェット記録装置用のロール紙の一例を示したものであり、５０は記録紙本体部分、５１は記録紙の裏面に塗られた粘着材、５２は粘着材の保護シートを表している。前述のように、携帯電話機用の記録用紙は比較的サイズが小さいことから、記録された用紙を保管或は表示する上で通常のファイリング手段は不適当な場合がある。そのため、本発明では、保護シート５２を剥がして裏面の粘着材５１を露出させることにより記録紙５０を容易に他の場所に貼り付けられるようになっている。
【００２９】
５３は本体３５の裏面に装着されたマジックテープの片側であり、５４はマジックテープのもう片側で、裏面に粘着シート５５が付いている。マジックテープ５４を車内の適当な平坦部に接着しておくと、マジックテープ５３と５４を用いて本体３５を固定することができる。携帯電話機は情報の通信という機能と同時に、その娯楽性が重要な要素である。携帯電話機の持つ娯楽性を更に高める上で、写真のアルバムのようにも扱える本発明の記録シートはで有効であると考えられる。
【００３０】
【発明の効果】
以上の説明で明らかなように、本発明によれば、充電器一体型インクジェット記録装置により、携帯電話機等の通信機器に必要な付帯機器の数及びその設置スペースを最小限に抑えることが可能になった。又、本発明は、携帯電話機の情報を記録、保管、表示する上で最適な出力形態を提供することによって携帯電話機の利便性と娯楽性を更に高めるものである。
【図面の簡単な説明】
【図１】本発明の実施の形態１に係るインクジェット記録装置の断面図である。
【図２】本発明の実施の形態１に係るインクジェット記録装置に用いられるロール紙の断面図である。
【図３】本発明の実施の形態２に係るインクジェット記録装置の断面図である。
【図４】本発明の実施の形態２に係るインクジェット記録装置に用いられるロール紙の断面図である。
【図５】本発明の実施の形態３に係るインクジェット記録装置の断面図である。
【図６】本発明の実施の形態３に係るインクジェット記録装置に用いられるロール紙の断面図である。
【符号の説明】
１　　充電器一体型インクジェット記録装置
２　　携帯電話機器
３　　充電器部分
４　　携帯電話機との接続部分
５　　電源プラグ
６　　用紙収納部
７　　ロール紙
８　　用紙搬送機構
９　　用紙排出部
１０　フルマルチ型のインクジェットヘッド
１１　カラーインクタンク
１２　切断機
１３　ロール紙の断面形態
１４　記録紙
１５　粘着剤層
１６　剥離シート
１７　充電器一体型インクジェット記録装置
１８　携帯電話機器
１９　充電器部分
２０　携帯電話機との接続部分
２１　電源プラグ
２２　用紙収納部
２３　ロール紙
２４　用紙搬送機構
２５　用紙排出部
２６　フルマルチ型のインクジェットヘッド
２７　カラーインクタンク
２８　切断機
２９　赤外線センサー部
３０　赤外線発信部
３１　ロール紙の断面形態
３２　記録紙
３３　粘着剤層
３４　剥離シート
３５　充電器一体型インクジェット記録装置
３６　携帯電話機器
３７　充電器部分
３８　携帯電話機との接続部分
３９　電源プラグ
４０　用紙収納部
４１　ロール紙
４２　用紙搬送機構
４３　用紙排出部
４４　フルマルチ型のインクジェットヘッド
４５　カラーインクタンク
４６　切断機
４７　赤外線センサー部
４８　赤外線発信部
５３　マジックテープの片側
５４　マジックテープのもう片側
５５　粘着シート
４９　ロール紙の断面形態
５０　記録紙
５１　粘着剤層
５２　剥離シート
【図１】
2004130664.tif 000003
【図２】
2004130664.tif 000004
【図３】
2004130664.tif 000005
【図４】
2004130664.tif 000006
【図５】
2004130664.tif 000007
【図６】
2004130664.tif 000008